(57)【要約】      （修正有）【課題】既存の洋式便器にも、容易に取り付けられ、小便器を収納する為の床面積を、更に必要としない小便器の提供。【解決手段】小便器７の排水管排水口を洋式便器本体１の開口部内のボウルに配水管１０にて配管し、小便器への給水は洋式便器の分岐栓から給水管９にて給水バルブ８へと配管し、小便器７が洋式便器本体１上を前後に移動可能とし、その奥に小便器７を収納できるよう洋式便器本体１の両側面から支え、前後にレール１６の上を移動するよう支持部１３を設ける。【選択図】図１
2010095986.tif 000002
【特許請求の範囲】
【請求項１】
（イ）小便器（７）に、排水管（１０）を、洋式便器本体（１）の開口部（２６）と便座（２）の間を通し、先端の排水管排水口（１１）を、洋式便器本体（１）の開口部（２６）内に取り付けられるよう設ける
（ロ）小便器（７）に洋式便座本体（１）上を前後し、洋式便器本体（１）上の奥に小便器（７）を収納する様、洋式便器本体（１）の両側面から支える可動式支持部（１３）を設ける。
以上の如く構成された、洋式便器本体（１）上の奥に収納することを特徴とする洋式便器補助用小便器。
【請求項２】
小便器（７）とその支持部（１３）を、ベアリング（２２）によって接合した請求項１記載の洋式便器補助用小便器。
【発明の詳細な説明】
【発明の詳細な説明】
【技術分野】
【０００１】  本発明は、小便器に支持部を取り付け、洋式便器上に設置し、小便の飛散を防止する装置に関する。
【背景技術】
【０００２】  従来の兼用便器等においては、小便器支持部の一部を、洋式便器と接合し、洋式便器の横側や、裏側を、小便器の収納時に使用している。（例えば、特開２００４−１１６１８８、特開２００７−２１８０６３参照）
【発明が解決しようとする課題】
【０００３】  従来の兼用便器にあっては、既存の洋式便器に小便器を取り付ける際、支持部を安定させる為大がかりな工事が必要であり、小便器の収納にあっては、既存の洋式便器以外の床面積を必要とするという問題点があった。
【０００４】  本発明は、既存の洋式便器にも容易に取り付ける事ができ、小便器を、収納する為の床面積を必要としない事を目的としている。
【課題を解決するための手段】
【０００５】  上記目的を達成するために、本発明の洋式便器補助用小便器においては、排水ホースを、小便器に設け、洋式便器本体の開口部と便座の間を通し、先端の排水口を洋式便器本体開口部内に設け、小便器を、洋式便器上を前後し、洋式便器上の奥に収納できる様、洋式便器本体の両側面から支える可動式支持部を設ける
【０００６】  また、小便器とその支持部を、ベアリングによって接合することができる。
【発明を実施するための最良の形態】
【０００７】  発明の実施の形態を実施例にもとづき図面を参照して説明する。
図１、２、５、７、８、９、１０、１１において排水管１０を小便器７に設け、洋式便器本体１の開口部２６と便座２の間を通し、先端の排水管排水口１１を洋式便器本体１の開口部２６内に設け、小便器７を、洋式便器本体１上を前後し、洋式便器本体１上の奥に収納できる様、洋式便器本体１の両側面から支える可動式支持部１３を設ける。【０００８】  図５に示される実施例では、小便器７とその支持部１３をベアリング２２によって接合し、小便器７を収納時に半転させている。【０００９】  図９、１０、１１に示される実施例では、小便器７とその支持部１３をベアリング２２によって接合し、小便器７を収納時に１／４回転させる【００１０】  図７、８、９、１０、１１に示される実施例では、小便器７を収納する収納箱２３を洋式便器本体１上の奥に取り付けている。【００１１】  図１１に示される実施例では、小便器７上部を、伸縮する可動式支持部１３と接合している【００１２】  なお、図１、２、３、４、５、７、８は奥行きを薄くし、図９、１０、１１は、幅を薄くした薄型小便器である。
【発明の効果】
【００１３】  本発明は以上説明したように構成されているので以下に記載されるような、効果を奏する。
【００１４】  排水ホースを、小便器に設け洋式便器本体の開口部と便座の間を通し、先端の排水口を洋式便器本体の開口部内に設け、小便器を洋式便器本体上を前後し、洋式便器本体上の奥に収納できる様洋式便器本体の両側面から支える可動式支持部を設けることにより、既存の洋式便器に排水管及び支持部接合の工事が不要となるほか、小便器を収納する為の床面積を必要とせずにすむ。
【００１５】  また、小便器とその支持部をベアリングによって接合し、小便器を、収納時に半転させることにより、座式使用時に小便器を収納した際、使用者の不潔感をより軽減することができる。
【００１６】  また、幅を薄くした薄型小便器を収納時に１／４回転させることにより小便器に奥行きをもたせることができ、立式使用時の小便のはね返りをさらに防止することができる。
【００１７】  さらに、小便器を収納する収納箱を洋式便器本体上の奥に取り付けることにより、座式使用時の不潔感をさらに軽減することができる。
【００１８】  また、上記薄型小便器を採用することによって、洋式便器上に容易に収納することができる
【００１９】  また、給水管をタンク給水部と分枝接続することにより、既存の洋式便器への取り付けを、さらに容易にすることができる。
【００２０】  また、立式使用時には必然的に便器フタを閉めることになり、小便の飛散による便座の汚れを防止できる。なお、支持部と便器フタを連動させると使用しやすい。
【００２１】  なお、薄型小便器は、従来の小便器よりも、接近して使用する必要があるが、特に一般家庭においては、使用者がほぼ男性家族に限定される為、不潔感なく使用することができる。
【００２２】  また、構造が単純である為、製造コストが低く、既存の洋式便器の形状や温水洗浄便座等の有無に関わらず、容易に取り付けることができる。
【図面の簡単な説明】
【図１】洋式便器補助用小便器の実施例を示す斜視図である
【図２】洋式便器補助用小便器の実施例を示す斜視図である
【図３】洋式便器補助用小便器の実施例を示す斜視図である
【図４】洋式便器補助用小便器の実施例を示す斜視図である
【図５】洋式便器補助用小便器の実施例を示す斜視図である
【図６】洋式便器補助用小便器の実施例を示す縦断面図である
【図７】洋式便器補助用小便器の実施例を示す斜視図である
【図８】洋式便器補助用小便器の実施例を示す斜視図である
【図９】洋式便器補助用小便器の実施例を示す斜視図である
【図１０】洋式便器補助用小便器の実施例を示す斜視図である
【図１１】洋式便器補助用小便器の実施例を示す斜視図である
【符号の説明】
１  洋式便器本体
２  便座
３  給水タンク
４  タンク給水管
５  タンク給水部
６  温水洗浄便座本体
７  小便器
８  給水バルブ
９  給水管
１０  排水管
１１  排水管排水口
１２  閉部
１３  支持部
１４  車
１５  取手
１６  レール
１７、１８  回転部
１９  給水口
２０  排水口
２１  回転軸
２２  ベアリング
２３  収納箱
２４  収納箱扉
２５  便器フタ
２６  開口部
【図１】
2010095986.tif 000003
【図２】
2010095986.tif 000004
【図３】
2010095986.tif 000005
【図４】
2010095986.tif 000006
【図５】
2010095986.tif 000007
【図６】
2010095986.tif 000008
【図７】
2010095986.tif 000009
【図８】
2010095986.tif 000010
【図９】
2010095986.tif 000011
【図１０】
2010095986.tif 000012
【図１１】
2010095986.tif 000013
【手続補正書】
【提出日】平成21年4月8日(2009.4.8)
【手続補正１】
【補正対象書類名】明細書
【補正対象項目名】請求項１
【補正方法】変更
【補正の内容】
【請求項１】  （イ）壁掛小便器（７）に排水管（１０）を、洋式便器本体（１）の開口部（２６）と便座（２）の間を通し、先端の排水管排水口（１１）を、洋式便器本体（１）の開口部（２６）内に取り付けられるよう設ける。
（ロ）壁掛小便器（７）を洋式便器本体（１）の両側面から支え、洋式便器本体（１）の正面手前から洋式便器本体（１）上の奥まで一直線上に前後する可動式支持部（１３）を設ける。
以上の如く構成された、洋式便器本体（１）の正面手前で壁掛小便器として使用し、洋式便器本体（１）上の奥に壁掛小便器を収納し、洋式便器単体としても利用できることを特徴とする洋式便器補助用の小便器。
【手続補正２】
【補正対象書類名】明細書
【補正対象項目名】請求項２
【補正方法】削除
【補正の内容】